【手続補正書】
【提出日】平成20年7月16日(2008.7.16)
【手続補正１】
【補正対象書類名】明細書
【補正対象項目名】特許請求の範囲
【補正方法】変更
【補正の内容】
【特許請求の範囲】
【請求項１】  供給される送信データ列を分割し、複数の分割データ列を生成するデータ分割手段と、
それぞれの上記分割データ列を、互いに直交した拡散コード列で直接拡散した拡散データ列を生成する複数の直接拡散手段と、
上記複数の直接拡散手段において生成された拡散データ列を合成した合成データ列に応じた送信信号を出力する合成手段と
を有する送信装置。
【請求項２】  所定の周期を有する基準インパルス列の各インパルスを、上記拡散データ列の各データ値に応じて変調したインパルス列を発生する複数のインパルス発生手段を有し、
上記合成手段は、上記複数のインパルス発生手段において発生したインパルス列を合成し、上記送信信号として出力する、
請求項１に記載の送信装置。
【請求項３】  上記インパルス発生手段は、上記拡散データ列の各データ値に応じて、インパルスの極性を変調したインパルス列を発生する、
請求項２に記載の送信装置。
【請求項４】  上記インパルス発生手段は、上記拡散データ列の各データ値に応じて、上記所定の周期中におけるインパルスの位置を変調したインパルス列を発生する、
請求項２に記載の送信装置。
【請求項５】  供給される送信データ列を分割し、複数の分割データ列を生成するデータ分割手段と、
上記複数の分割データ列と、それぞれの分割データ列に対応する互いに直交した複数の拡散コード列とに基づいて、拡散データ列を生成する拡散データ生成手段と、
所定の周期を有する基準インパルス列の各インパルスを、上記拡散データ列の各データ値に応じて変調したインパルス列を発生し、送信信号として出力するインパルス発生手段と
を有する送信装置。
【請求項６】  上記インパルス発生手段は、上記拡散データ列の各データ値に応じてインパルスの発生を停止する、
請求項５に記載の送信装置。
【請求項７】  上記インパルス発生手段は、上記拡散データ列の各データ値に応じて、インパルスの極性および振幅を変調したインパルス列を発生する、
請求項５に記載の送信装置。
【請求項８】  上記拡散データ生成手段は、上記複数の分割データ列を対応する上記拡散コード列でそれぞれ直接拡散し、当該直接拡散の結果を合成した場合に得られるデータ列を、上記拡散データとして生成する、
請求項５に記載の送信装置。
【請求項９】  供給される送信データ列を分割し、複数の分割データ列を生成するステップと、
それぞれの上記分割データ列を、互いに直交した拡散コード列で直接拡散した拡散データ列を生成するステップと、
生成された複数の上記拡散データ列を合成した合成データ列に応じた送信信号を出力するステップと
を有する送信方法。
【請求項１０】  供給される送信データ列を分割し、複数の分割データ列を生成するステップと、
上記複数の分割データ列と、それぞれの分割データ列に対応する互いに直交した複数の拡散コード列とに基づいて、拡散データ列を生成するステップと、
所定の周期を有する基準インパルス列の各インパルスを、上記拡散データ列の各データ値に応じて変調したインパルス列を発生し、送信信号として出力するステップと
を有する送信方法。
【請求項１１】  送信データ列を複数のデータ列に分割し、それぞれの分割データ列を互いに直交した拡散コード列で直接拡散し、当該直接拡散の結果を合成して生成されたインパルス列を受信する受信装置であって、
それぞれの上記拡散コード列に対応するインパルス列と上記受信インパルス列との相関性を検出し、当該検出結果に応じた相関信号を生成する複数の相関検出手段と、
上記相関信号を所定期間積分する複数の積分手段と、
上記積分手段における積分値に応じて、上記分割データ列の各データ値を判定する判定手段と、
上記判定された分割データ列を合成して、上記送信データ列を再生する合成手段と
を有する受信装置。
【請求項１２】  上記受信インパルス列と所定の基準インパルス列との相関性を検出し、当該検出結果に応じたインパルス相関信号を生成するインパルス相関検出手段を有し、
上記相関検出手段は、上記インパルス相関信号の極性を上記拡散コード列の各コード値に応じて反転させて上記相関信号を生成する、
請求項１１に記載の受信装置。
【請求項１３】  送信データ列を複数のデータ列に分割し、それぞれの分割データ列を互いに直交した拡散コード列で直接拡散し、当該直接拡散の結果を合成して生成されたインパルス列を受信する受信装置であって、
それぞれの上記拡散コード列に対応するインパルス列と上記受信インパルス列との相関性を検出し、当該検出結果に応じた相関信号を生成する複数の相関検出手段と、
上記相関検出手段において生成された上記相関信号をそれぞれ入力し、当該入力した相関信号から、送信側において合成可能な分割データ値の所定の組み合わせごとに、上記拡散コード列における特定ビットの拡散コードに対応した相関信号を選択する複数の選択手段と、
上記選択手段において同一の相関信号から選択された相関信号を、上記所定の組み合わせごとに所定期間積分する複数の積分手段と、
同一の相関信号について上記所定の組み合わせごとに積分した上記積分手段における積分値を比較し、当該比較結果に応じて選択した積分値を出力する複数の比較手段と、
上記比較手段から出力される積分値に応じて、上記分割データ列の各データ値を判定する複数の判定手段と、
上記判定された分割データ列を合成して、上記送信データ列を再生する合成手段と
を有する受信装置。
【請求項１４】  送信データ列を２つのデータ列に分割し、それぞれの分割データ列を互いに直交した拡散コード列で直接拡散し、当該直接拡散の結果を合成して生成されたインパルス列を受信する受信装置であって、
２つの上記拡散コード列で同一値のデータを直接拡散した場合に得られる２つのデータ列を合成した第１の拡散データ列に対応するインパルス列と、上記受信インパルス列との相関性を検出し、当該検出結果に応じた第１の相関信号を生成する第１の相関検出手段と、
２つの上記拡散コード列で異なる値のデータを直接拡散した場合に得られる２つのデータ列を合成した第２の拡散データ列に対応するインパルス列と、上記受信インパルス列との相関性を検出し、当該検出結果に応じた第２の相関信号を生成する第２の相関検出手段と、
上記第１の相関信号を所定期間積分する第１の積分手段と、
上記第２の相関信号を所定期間積分する第２の積分手段と、
上記第１の積分手段における積分値と上記第２の積分手段における積分値との比較結果、および当該比較結果に応じて選択した積分値の極性に基づいて、上記送信データ列の各データ値を判定する判定手段と
を有する受信装置。
【請求項１５】  上記第１の相関検出手段は、上記第１の拡散データ列における特定ビットの拡散データに対応するインパルスと受信インパルスとの相関検出結果に応じた第１の相関信号を選択して上記第１の積分手段に出力し、
上記第２の相関検出手段は、上記第２の拡散データ列における特定ビットの拡散データに対応するインパルスと受信インパルスとの相関検出結果に応じた第２の相関信号を選択して上記第２の積分手段に出力する
請求項１４に記載の受信装置。
【請求項１６】  送信データ列を複数のデータ列に分割し、それぞれの分割データ列を互いに直交した拡散コード列で直接拡散し、当該直接拡散の結果を合成して生成されたインパルス列を受信する受信方法であって、
それぞれの上記拡散コード列に対応するインパルス列と上記受信インパルス列との相関性を検出し、当該検出結果に応じた相関信号を生成するステップと、
生成された上記相関信号を、それぞれ所定期間積分するステップと、
上記相関信号の積分値に応じて、上記分割データ列の各データ値を判定するステップと、
上記判定された分割データ列を合成して、上記送信データを再生するステップと
を有する受信方法。
【請求項１７】  送信データ列を複数のデータ列に分割し、それぞれの分割データ列を互いに直交した拡散コード列で直接拡散し、当該直接拡散の結果を合成して生成されたインパルス列を受信する受信方法であって、
それぞれの上記拡散コード列に対応するインパルス列と上記受信インパルス列との相関性を検出し、当該検出結果に応じた相関信号を生成するステップと、
生成されたそれぞれの上記相関信号から、送信側において合成可能な分割データ値の所定の組み合わせごとに、上記拡散コード列における特定ビットの拡散コードに対応した相関信号を選択するステップと、
同一の相関信号から選択された相関信号を、上記所定の組み合わせごとにそれぞれ所定期間積分するステップと、
同一の相関信号について上記所定の組み合わせごとに積分した積分値を比較し、当該比較結果に応じて積分値を選択するステップと、
上記選択された積分値に応じて、上記分割データ列の各データ値を判定するステップと、
上記判定された分割データ列を合成して、上記送信データ列を再生するステップと
を有する受信方法。
【請求項１８】  送信データ列を２つのデータ列に分割し、それぞれの分割データ列を互いに直交した拡散コード列で直接拡散し、当該直接拡散の結果を合成して生成されたインパルス列を受信する受信方法であって、
２つの上記拡散コード列で同一値のデータを直接拡散した場合に得られる２つのデータ列を合成した第１の拡散データ列に対応する第１のインパルス列と、上記受信インパルス列との相関性を検出し、当該検出結果に応じた第１の相関信号を生成するステップと、
２つの上記拡散コード列で異なる値のデータを直接拡散した場合に得られる２つのデータ列を合成した第２の拡散データ列に対応する第２のインパルス列と、上記受信インパルス列との相関性を検出し、当該検出結果に応じた第２の相関信号を生成すステップと、
上記第１の相関信号を所定期間積分するステップと、
上記第２の相関信号を所定期間積分するステップと、
上記第１の相関信号の積分値と上記第２の相関信号の積分値との比較結果、および当該比較結果に応じて選択した積分値の極性に基づいて、上記送信データ列の各データ値を判定するステップと
を有する受信方法。
【請求項１９】  上記第１の相関信号を生成するステップにおいて、上記第１の拡散データ列における特定ビットの拡散データに対応するインパルスと受信インパルスとの相関検出結果に応じた第１の相関信号を選択し、当該選択した第１の相関信号を上記所定期間積分し、
上記第２の相関信号を生成するステップにおいて、上記第２の拡散データ列における特定ビットの拡散データに対応するインパルスと受信インパルスとの相関検出結果に応じた第２の相関信号を選択し、当該選択した第２の相関信号を上記所定期間積分する、
請求項１８に記載の受信方法。
【請求項２０】  送信データ列を複数のデータ列に分割し、それぞれの分割データ列を互いに直交した拡散コード列で直接拡散し、当該直接拡散の結果を合成して生成されたインパルス列を送信する第１の通信装置と、当該インパルス列を受信する第２の通信装置とを有した通信システムであって、
上記第２の通信装置は、
上記インパルス列の受信手段と、
上記受信手段における上記インパルス列の受信特性を測定する測定手段と、
上記測定手段における測定結果を送信する送信手段とを含み、
上記第１の通信装置は、
上記第２の通信装置から送信される信号を受信する受信手段と、
当該受信信号に含まれる上記測定結果に応じて上記送信データ列の分割数を設定する上記インパルス列の送信手段とを含む、
通信システム。
【請求項２１】  上記測定手段は、上記受信特性として、信号対雑音比、受信信号強度または誤り率の少なくとも何れか１つを測定する、
請求項２０に記載の通信システム。
【請求項２２】  上記第１の通信装置は、上記測定手段の測定結果に応じて上記分割数を判定する分割数判定手段を含み、
上記第１の通信装置の送信手段は、上記分割数判定手段における判定結果を送信し、
上記第２の通信装置の送信手段は、上記第２の通信装置からの受信信号に含まれる上記判定結果に応じた分割数で上記送信データ列を分割する、
請求項２０に記載の通信システム。
【請求項２３】  上記第２の通信装置は、上記第２の通信装置からの受信信号に含まれる上記測定結果に応じて上記分割数を判定する分割数判定手段を含み、
上記第２の通信装置の送信手段は、上記分割数判定手段における判定結果に応じた分割数で上記送信データ列を分割する、
請求項２０に記載の通信システム。
【請求項２４】  送信データ列を複数のデータ列に分割し、それぞれの分割データ列を互いに直交した拡散コード列で直接拡散し、当該直接拡散の結果を合成して生成されたインパルス列を送信する第１の通信装置と、当該インパルス列を受信する第２の通信装置とにおける通信方法であって、
上記第２の通信装置において、上記インパルス列を受信するステップと、
上記インパルス列の受信特性を測定するステップと、
上記測定結果を上記第２の通信装置から上記第１の通信装置へ伝送するステップと、
上記第１の通信装置において受信された信号に含まれる上記測定結果に応じて、上記送信データ列の分割数を設定するステップとを含む、
通信方法。
【請求項２５】  上記測定を行うステップにおいて、上記受信特性として、信号対雑音比、受信信号強度または誤り率の少なくとも何れか１つを測定する、
請求項２４に記載の通信方法。